(57)【要約】【課題】改良された構造を有する靴を提供する。【解決手段】本発明は、側壁と底面とを備えた表底を有する靴を提供する方法及び装置に関するものである。上記側壁は、上記底面の周縁部に結合され、上記側壁から張り出す突出部もまた有し、靴の甲革は上記突出部に結合する。【選択図】図４
2004284350.tif 000002
【特許請求の範囲】
【請求項１】
側壁と底面とを有し、上記側壁が上記底面の周縁部に結合された表底と、
当該側壁から張り出す突出部を有する上記側壁と、
上記突出部に結合された甲革と、を有することを特徴とする靴。
【請求項２】
上記甲革が、少なくとも１つの局部的な領域において上記突出部に縫い付けられることを特徴とする請求項１記載の靴。
【請求項３】
上記甲革と上記突出部とが各々の上面と各々の底面とを有することを特徴とする請求項１記載の靴。
【請求項４】
上記甲革を上記突出部に縫い付けるために使用される糸であって、上記甲革と上記突出部とを貫いて下方へ、次に該突出部の上記底面に沿って、次に上記突出部と上記甲革とを貫いて上方へ、そして該甲革の上記上面に沿って、繰り返し進む上記糸をさらに有することを特徴とする請求項３記載の靴。
【請求項５】
上記側壁が上端部と下端部とを有し、該下端部が上記周縁部に結合し、上記突出部が上記上端部から張り出すことを特徴とする請求項１記載の靴。
【請求項６】
上記側壁と上記底面とが、空洞部を規定するように上記側壁が上記底面の周縁部全体に結合されることを特徴とする請求項１記載の靴。
【請求項７】
上記側壁の全周辺に沿って上記突出部が上記側壁から張り出すことを特徴とする請求項６記載の靴。
【請求項８】
上記側壁の全周辺に沿って上記甲革が上記突出部に結合されることを特徴とする請求項７記載の靴。
【請求項９】
表底の底面を設けるステップと、
上記表底の側壁を上記底面の周縁部に結合するステップと、
上記側壁から突出部を張り出すステップと、
靴の甲革を上記突出部に結合するステップと、を有することを特徴とする靴を提供する方法。
【請求項１０】
糸を使用して上記甲革を上記突出部に縫い付けるステップをさらに有することを特徴とする請求項９記載の方法。
【請求項１１】
上記甲革と上記突出部とを貫いて下方へ、次に上記突出部の底面に沿って、次に上記突出部と上記甲革とを貫いて上方へ、そして上記甲革の上面に沿って、糸を繰り返し通すステップをさらに有することを特徴とする請求項１０記載の方法。
【請求項１２】
上記側壁の下端部を上記底面の周縁部に結合し、上記突出部を上記側壁の上端部から張り出すステップをさらに有することを特徴とする請求項９記載の方法。
【請求項１３】
上記側壁と上記底面とが空洞部を規定するように上記側壁を上記底面の周縁部全体に結合するステップをさらに有することを特徴とする請求項９記載の方法。
【請求項１４】
上記側壁の全周辺に沿って上記突出部を上記側壁から張り出すステップをさらに有することを特徴とする請求項１３記載の方法。
【請求項１５】
上記側壁の全周辺に沿って上記甲革を上記突出部に結合するステップをさらに有することを特徴とする請求項１４記載の方法。
【発明の詳細な説明】
【技術分野】
【０００１】
本発明は、改良された構造を有する靴に関するものであり、より詳細には、独特の縫い目を使用して甲革(upper)に縫い付けられた表底(outsole)を有する靴に関するものである。
【背景技術】
【０００２】
幅広い種類の靴の構造がある。１つの構造の方法は、オパンカ構造(Opanka construction)として知られ、表底の外周に沿って表底を靴の甲革に縫い付けることを含む。
【０００３】
図１を参照すれば、オパンカ靴の構造が示されている。靴１０は、表底１２と甲革１４の両方にある複数の一直線に並んだ穴を通る糸１６により、甲革１４に固定されている表底１２を有している。図１は、糸１６の上部が表された甲革１４の斜視図を示している。
【０００４】
図２は、図１に示した靴の断面図を示す。図に示されるように、糸１６は、甲革１４と表底１２の両方を上から下まで貫き、その逆もまた同様に貫く。糸１６が歩行によりすり減ることを防止し、それにより糸の寿命を長くし表底１２を甲革１４に固定される状態を保つために、上記靴は、糸１６を保護するために溝１８を有している。溝１８がなければ、糸１６は、より速い度合いで役に立たなくなり表底１２を甲革１４から分離させる場合もある。
【０００５】
しかし、溝１８は、すべての物体、特に小石、泥又は破片が、溝１８に入り糸１６を損傷することを防止することはできないかもしれない。さらに、溝と糸１６の両方を露出させる表底を有することが、靴の外観を損ねる場合もある。
【０００６】
図１に示したオパンカ構造の靴の代替的な実施形態である図３には、表底１２の側面に溝２０を有することが示されている。この方法では、図２に示すような表底１２の底面とは対照的に表底１２の側面上の位置のために、溝２０に入り込む破片又は泥は少ないと論じ得る。しかし、溝２０が靴の底面とは対照的に靴の側面上でより見えやすいこと及び溝２０を側面に配置する実用的な利益が溝２０をより見えやすくするという見た目の悪さで相殺されることもまた論じ得る。
【発明の開示】
【発明が解決しようとする課題】
【０００７】
従って、所望のものは、改良された構造を有する靴である。もう１つの所望は、表底を甲革に固定するために使用される縫い目が溝の使用を必要としない靴を提供することである。さらなる所望は、靴の強度を犠牲にすることなく溝の必要性をなくす靴を提供することである。またさらなる所望は、靴の外観を向上させる靴の構造を提供することである。
【０００８】
従って、本発明の１つの目的は、改良された構造を有する靴を提供することである。
【０００９】
もう１つの所望は、甲革と表底を互いに固定するために使用される縫い目の寿命を長くする靴を提供することである。
【００１０】
さらなる所望は、表底を甲革に固定するために使用される縫い目が、外観を改良するために隠されている靴を提供することである。
【課題を解決するための手段】
【００１１】
これらと本発明の他の目的は、側壁と底面とを備えた表底を有する靴を提供することにより実現される。側壁は、底面の周縁部に結合され、当該側壁から張り出す突出部もまた有し、靴の甲革は突出部に結合する。
【００１２】
上記靴は、少なくとも１つの局部的な領域に甲革と突出部とを互いに縫い付けることにより甲革を突出部に結合する。
【００１３】
ある実施形態においては、甲革と突出部とはそれぞれ、各々の上面と各々の底面とを有し、甲革と突出部とを貫いて下方へ、次に突出部の底面に沿って、次に突出部と甲革とを貫いて上方へ、そして甲革の上面に沿って、糸を繰り返し通すことにより甲革を突出部に縫い付けるために使用される糸を有してもよい。
【００１４】
他の実施形態においては、側壁は、下端部が周縁部と結合し突出部が上端部から張り出す上端部及び下端部を有してもよい。
【００１５】
さらなる実施形態では、側壁は、側壁と底面とが空洞部を規定するように底面の周縁部全体に結合してもよい。上記突出部もまた、側壁の全周辺に沿って側壁から張り出してもよく、甲革は側壁の全周辺に沿って突出部に結合される。
【００１６】
もう１つの側面において、本発明は、表底の底面を設けるステップと、表底の側壁を底面の周縁部に結合するステップと、突出部が側壁から張り出すステップと、靴の甲革を突出部に結合するステップと、を備えた靴を提供する方法を有する。
【００１７】
上記方法はまた、糸を使用して甲革を突出部に縫い付けるステップを有してもよい。上記方法は、甲革と突出部とを貫いて下方へ、次に突出部の底面に沿って、次に突出部と甲革とを貫いて上方へ、そして甲革の上面に沿って、糸を繰り返し通してもよい。
【００１８】
ある実施形態では、上記方法はさらに、側壁の下端部を底面の周縁部に結合するステップと、突出部を側壁の上端部から張り出すステップとを有する。
【００１９】
さらなる実施形態においては、上記方法は、側壁と底面とが空洞部を規定するように、任意に側壁を底面の周縁部全体に結合してもよい。同様に、上記方法はまた、任意に側壁の全周辺に沿って突出部を側壁から張り出し、側壁の全周辺に沿って甲革を突出部に結合してもよい。
【００２０】
本発明及びその特別の特徴と利点は、添付図面に関して熟考された以下の詳細な記述から、より明らかとなるであろう。
【００２１】
図１、２及び３は、従来のオパンカ縫い目を有する靴を表している。図に示されるように、甲革１４を表底１２に縫い付けるために使用される糸１６は、靴１０の側面又は底面に露出している。靴１０の側面であれ底面であれ、そのどちらかで、糸１６を露出させることは、前述の不都合を提起する。
【００２２】
図４は、本発明に係る靴３０を表している。靴３０に採用されている形式(タイプ：type)の縫い目または糸の通し方(スレッディング：threading)が、従来のオパンカ縫い目を有する靴の不都合を克服している。靴３０は、図５及び５ａの断面図により詳細に表されているリバース・オパンカ縫い目(reverse Opanka stitch)を採用したものである。靴３０は、糸３４で互いに固定されている表底４０と甲革３２とを有している。靴３０はまた、甲革３２が固定される構造を与える突出部４６を有している。糸３４は、従来のオパンカ縫い目と同様に甲革の上面に沿って進むけれども、糸３４は、溝を必要しない、又は靴３０の側方からは視認できない。従って、リバース・オパンカ縫い目は、図１〜３のオパンカ縫い目の安全性と耐久性とを達成するが、過度の摩損から糸３４を隠して保護し、靴の外観を改良する。リバース・オパンカ縫い目は、図５ａに従って以下により詳細に記載される。
【００２３】
図６は靴３０の構成部品を分離して示しており、該構成部品は、表底４０、インサート(insert)３６及び甲革３２である。図に示されるように、表底４０は、表底４０の底面４２と、表底４０の側壁４４と、側壁４４から張り出す突出部４６とを有している。図６は、底面４２の周縁部全体４８に沿って底面４２に結合された側壁４４を示しているが、他の実施形態においては、周縁部４８の局部的な領域に沿って底面４２に結合される側壁４４を有してもよい。また、靴３０の適切な作用のために必ずしも必要とされることではないが、図に示されるように、側壁４４と底面４２とが、使用者の足に適合するように解剖学的(anatomically)に形づくられ快適さ、支持性(サポート：support)及び／又は弾力性を付与するインサート３６を受容し保持するための空洞部を規定する。
【００２４】
図７により詳しく示されるように、突出部４６は、側壁４４から張り出し、上面５２と底面５４とを有している。図６に示されるように、甲革３２もまた、上面５６と底面５８とを有している。図５ａに見られるように、甲革３２の底面５８は、突出部４６の上面５２上に位置し、糸３４は、甲革３２と突出部４６とを貫いて下方へ、次に突出部４６の底面５４に沿って、次に突出部４６と甲革３２とを貫いて上方へ、そして甲革３２の上面５６に沿って、繰り返し進む。このサイクルは、甲革３２が所望の強度に至るまで突出部４６に縫い付けられ、糸３４が所望の外観を達成するまで繰り返す。
【００２５】
オパンカ縫いを用いて甲革３２を突出部４６に縫い付けることは、靴３０の向上した外観をもたらし、糸３４の寿命を長くし、従来のオパンカ縫い目を有する靴では得られない利点を与える。破片又は歩行表面のような要素に対して、突出部４６の底面５４に沿って進む糸３４の部分を露出させないことにより、糸３４の寿命は長くなる。さらに、靴３０の外観は、図３に示されるように表底の側面に溝を有するように示される靴以上に向上させられる。
【００２６】
図４に示される実施形態では、糸３４は、靴３０の周縁全体に沿って甲革３２を突出部４６に縫い付けている。他の実施形態においては、糸３４は、靴３０の周縁の少なくとも１つの局部的な領域に沿って、甲革３２を突出部４６に縫い付けてもよい。さらなる実施形態では、側壁４４の周縁全体に沿って張り出す突出部４６を設けてもよいが、周縁全体の代わりに少なくとも１つの局部的な領域の突出部４６に甲革３２を固定させてもよい。これらの実施形態においては、少なくとも１つの局部的な領域で露出させられる、つまり甲革３２によって覆われない突出部４６の領域を覆うために、革の細片のような美的満足を与えるカバー(covering)が使用されてもよい。同様に、またさらなる実施形態においては、甲革３２は側壁４４の周縁全体に沿って突出部４６に固定されるかもしれないが、側壁は、周縁部４８の１つ又は複数の局部的な領域に沿って底面４２に結合されるかもしれない。従って、糸３４が側壁４４の周縁に沿って延在する範囲と、側壁４４が周縁部４８に沿って延在する範囲と、突出部４６が側壁４４に沿って張り出す範囲とは、相互に独立している。
【００２７】
図５、５ａ及び７に示した実施形態においては、側壁４４は、略垂直な形で底面４２に結合され、同様に、突出部４６は、略垂直な形で側壁４４から張り出している。しかし、他の実施形態においては、側壁４４と突出部４６とは、底面４２と側壁４４とに対して、それぞれ角度をもって結合される。甲革３２が突出部４６に縫い付けられると甲革３２の上面５６が側壁４４の最上部６２と略同一平面となるように、突出部４６は、側壁４４の最上部６２より下方に配置されている。しかし、側壁４４に沿う突出部４６の配置は、この範囲に限られるものではなく、甲革３２が突出部４６に縫い付けられるとき表底４０の下に又は側面に露出させられない限り、あらゆる位置で側壁４４から張り出してもよく、それにより靴３０の外観を向上させ、糸３４の寿命を長くする。
【００２８】
糸３４は、甲革３２と突出部４６とを互いに固定するために甲革３２と突出部４６とを貫通するあらゆる柔軟な糸(line)、紐、ヤーン(yarn)又は他の物である。糸３４は、一般的には、布地、織物、皮革、釣糸、ロープ等のように、高水準の強度をもって容易に曲げることができる。
【００２９】
図８は、リバース・オパンカ縫い目を有する靴を提供する方法８０を表している。方法８０は、表底の底面を設けるステップ８２と、表底の側壁を表底の底面の周縁部に結合するステップ８４と、側壁から突出部を張り出すステップ８６と、靴の甲革を突出部に結合するステップ８８とを有する。甲革を突出部に結合する(ステップ８８)ことにより、方法８０は、上記に記載されたように、従来のオパンカ縫い目を有する靴の不都合を克服するリバース・オパンカ縫い目を有する靴を提供する。
【００３０】
方法８０は、随意的に、糸を使用して甲革を突出部に縫い付けるステップ９０を有してもよい。この実施形態においては、方法８０は、甲革と突出部とを貫いて下方へ、次に突出部の底面に沿って、次に突出部と甲革とを貫いて上方へ、そして甲革の上面に沿って、糸を繰り返し通す(ステップ９２)。方法８０は、所望の量の縫い目が達成されるまで、この方法で繰り返し糸を通す(ステップ９２)。
【００３１】
方法８０は、より詳細には、上端部と下端部とを有する側壁を設ける(ステップ９８)と側壁の下端部を底面の周縁部に結合するステップ９４と、側壁の上端部から突出部を張り出すステップ９６とを有してもよい。
【００３２】
方法８０は、図４〜７に示されるように、側壁と底面とが空洞部を規定するように底面の周縁部全体に結合される側壁を有する靴を提供するが、方法８０は、必ずしもこの方法で側壁を底面に結合する必要はなく、側壁を底面の選択された領域に結合(ステップ８４)してもよい。同様に、方法８０は、側壁の周辺に連続して突出部を張り出す代わりに、側壁の選択された領域に沿って突出部を側壁から張り出させ(ステップ８６)てもよい。さらに、方法８０は、図４に示されるように連続した縫い目の代わりに、突出部の選択された領域に沿って甲革を突出部に結合(ステップ８８)してもよい。
【００３３】
本発明は、特定の部品配置、特徴などに関して記述されているけれども、これらは、すべての可能な配置或いは特徴を余すことなく述べるものでなく、実際に他の多くの変形や変更が、当業者にとって確認可能であろう。
【図面の簡単な説明】
【００３４】
【図１】従来技術を説明する靴を表した説明図である。
【図２】図１の靴の断面図である。
【図３】図１の靴のもう１つの実施形態の断面図である。
【図４】本発明に係る靴を表した説明図である。
【図５】図４に示した靴の断面図である。
【図５ａ】図５の断面図の一部の拡大図である。
【図６】図４に示した靴の構成部品を分離して表した説明図である。
【図７】図６の構成部品の１つである表底の断面図である。
【符号の説明】
【００３５】
１０  靴
１２  表底
１４  甲革
１６  糸
１８  溝
２０  溝
３０  靴
３２  甲革
３４  糸
３６  インサート
４０  表底
４２  表底の底面
４４  表底の側壁
４６  突出部
４８  周縁部
５２  突出部の上面
５４  突出部の底面
５６  甲革の上面
５８  甲革の底面
６２  側壁の最上部
【図１】
2004284350.tif 000003
【図２】
2004284350.tif 000004
【図３】
2004284350.tif 000005
【図４】
2004284350.tif 000006
【図５】
2004284350.tif 000007
【図５ａ】
2004284350.tif 000008
【図６】
2004284350.tif 000009
【図７】
2004284350.tif 000010
【図８】
2004284350.tif 000011
【手続補正書】
【提出日】平成16年2月19日(2004.2.19)
【手続補正１】
【補正対象書類名】明細書
【補正対象項目名】００３４
【補正方法】変更
【補正の内容】
【００３４】
【図１】従来技術を説明する靴を表した説明図である。
【図２】図１の靴の断面図である。
【図３】図１の靴のもう１つの実施形態の断面図である。
【図４】本発明に係る靴を表した説明図である。
【図５】図４に示した靴の断面図である。
【図５ａ】図５の断面図の一部の拡大図である。
【図６】図４に示した靴の構成部品を分離して表した説明図である。
【図７】図６の構成部品の１つである表底の断面図である。
【図８】リバース・オパンカ縫い目を有する靴を提供する方法を表した説明図である。
【外国語明細書】
2004284350.tif 000012
2004284350.tif 000013
2004284350.tif 000014
2004284350.tif 000015
2004284350.tif 000016
2004284350.tif 000017
2004284350.tif 000018
2004284350.tif 000019
2004284350.tif 000020
2004284350.tif 000021
2004284350.tif 000022
2004284350.tif 000023
2004284350.tif 000024
2004284350.tif 000025
2004284350.tif 000026
2004284350.tif 000027
2004284350.tif 000028
2004284350.tif 000029
2004284350.tif 000030
2004284350.tif 000031
2004284350.tif 000032
2004284350.tif 000033